(57)【要約】【課題】釣糸案内部において、糸切れ、糸絡みを効果的に防止する平行巻き機構を備えた魚釣用両軸受型リールを提供する。【解決手段】本発明の魚釣用両軸受型リールは、リール本体１に支持された釣糸を巻回保持するスプール６に釣糸を巻回するための巻取り駆動機構と、リール本体に回転可能に設けられた巻取り駆動用ハンドルと、スプール６に釣糸を平行巻きするべくハンドルの回転で左右往復駆動され、釣糸が挿通する環状孔２１ａを有する釣糸案内部２１を具備した釣糸平行巻き機構２０と、釣糸案内部２１前方のリール本体に取付け固定された前方カバー部材３２とを有する。そして、釣糸案内部２１に対し、少なくとも環状孔２１ａの近傍の前方側の面と側面、及び上面の各面の少なくとも一部を覆う保護カバー３５を取り付けると共に、保護カバー３５の下側端部を前方カバー部材３２の上面３２ａより下側に位置させたことを特徴とする。【選択図】    図２
2004187645.tif 000002
【特許請求の範囲】
【請求項１】
リール本体に支持された釣糸を巻回保持するスプールに釣糸を巻回するための巻取り駆動機構と、リール本体に回転可能に設けられた巻取り駆動用ハンドルと、前記スプールに釣糸を平行巻きするべく前記ハンドルの回転で左右往復駆動され、釣糸が挿通する環状孔を有する釣糸案内部を具備した釣糸平行巻き機構と、前記釣糸案内部前方のリール本体に取付け固定された前方カバー部材とを有する魚釣用両軸受型リールにおいて、
前記釣糸案内部に対し、環状孔近傍の前方側の面と側面、及び上面の各面の少なくとも一部を覆う保護カバーを取り付けると共に、前記保護カバーの下側端部を前記前方カバーの上面より下側に位置させたことを特徴とする魚釣用両軸受型リール。
【請求項２】
前記釣糸案内部の少なくとも前方側形状が、上方に向けて徐々に後方側に傾斜する先細形状であることを特徴とする請求項１に記載の魚釣用両軸受型リール。
【請求項３】
リール本体に支持された釣糸を巻回保持するスプールに釣糸を巻回するための巻取り駆動機構と、リール本体に回転可能に設けられた巻取り駆動用ハンドルと、前記スプールに釣糸を平行巻きするべく前記ハンドルの回転で左右往復駆動され、釣糸が挿通する環状孔を有する釣糸案内部を具備した釣糸平行巻き機構とを有する魚釣用両軸受型リールにおいて、
前記釣糸案内部の少なくとも前方側形状を、上方に向けて徐々に後方側に傾斜する先細形状とすると共に、前記釣糸案内部に対し、環状孔近傍の前方側の面と側面、及び上面と下面の各面の少なくとも一部を覆う保護カバーを取り付けたことを特徴とする魚釣用両軸受型リール。
【発明の詳細な説明】
【０００１】
【発明の属する技術分野】
本発明は、ハンドルを回転操作した際、スプールに釣糸を平行に巻回する釣糸平行巻き機構（レベルワインド装置）を備えた魚釣用両軸受型リールに関する。
【０００２】
【従来の技術】
従来、魚釣用両軸受型リールには、スプールに均一に釣糸を巻き付けるための釣糸平行巻き機構が備え付けられているのが一般的である。
通常、釣糸平行巻き機構は、巻取り機構の駆動力で螺旋溝を備えたカム軸を駆動し、螺旋溝に係合する部材を保持する摺動子を左右に往復案内することで、摺動子に形成した釣糸案内部から導かれる釣糸をスプールに平行に巻き付ける構成である。
【０００３】
前記釣糸案内部は、通常、リール本体の左右側板間に配設された上部サムレスト及び前方カバー部材（前方ガード）によって保護されている。しかし、このような構成の場合、釣糸案内部近傍の開口部が狭く、釣糸案内部の環状孔に釣糸を挿通し難いという問題がある。また、釣糸案内部近傍の開口を大きく取ると、仕掛け投擲の際に釣糸が糸ふけした状態になり易く、釣糸案内部に釣糸が絡み付いたり、或いは、釣糸案内部の環状孔外側部分に糸傷を生じさせる等の不具合がある。
【０００４】
そこで、このような釣糸案内部における環状孔近傍の糸傷を防ぐために、例えば公知文献１、或いは公知文献２に開示されているように、環状孔の外周に保護カバーを設ける構成が知られている。
【０００５】
【公知文献１】
実開昭５８−７５７１号
【公知文献２】
実開昭６１−２０７１７０号。
【０００６】
【発明が解決しようとする課題】
しかし、前記公知文献１及び２に開示されている保護カバーは、何れも釣糸案内部の環状孔と略同形状の環状孔を具備し、これを環状孔外周領域に取り付ける構成であることから、特に前記開口部を大きく取って釣糸案内部へ釣糸を挿通し易くして操作性を向上させようとすると、釣糸が釣糸案内部の環状孔近傍の突出部に絡み易くなる。また、絡み付いた際に保護カバーと釣糸案内部本体との接合部分に生じる隙間に釣糸が引っ掛かって、糸切れを引き起こしたり、保護カバーを外してしまう恐れがある。
【０００７】
特に、近年、リール本体の握持保持性を向上させるべく、ロープロファイル化が進んでいる両軸受型リールでは、釣糸案内部上方のサムレストを後方側にオフセットさせてリール全高を抑えるべく、釣糸案内部上面を外部に露出させるようなデザイン形態を取ると、前記保護カバー部分への糸絡みが助長されるので、早急な改善が望まれている。
【０００８】
この発明は、上述した問題点に着目してなされたものであり、釣糸案内部において、糸切れ、糸絡みを効果的に防止する釣糸平行巻き機構を備えた魚釣用両軸受型リールを提供することを目的とする。
【０００９】
【課題を解決するための手段】
上記の目的を達成するために、本発明に係る魚釣用両軸受型リールは、リール本体に支持された釣糸を巻回保持するスプールに釣糸を巻回するための巻取り駆動機構と、リール本体に回転可能に設けられた巻取り駆動用ハンドルと、前記スプールに釣糸を平行巻きするべく前記ハンドルの回転で左右往復駆動され、釣糸が挿通する環状孔を有する釣糸案内部を具備した釣糸平行巻き機構と、前記釣糸案内部前方のリール本体に取付け固定された前方カバー部材とを有しており、前記釣糸案内部に対し、環状孔近傍の前方側の面と側面、及び上面の各面の少なくとも一部を覆う保護カバーを取り付けると共に、前記保護カバーの下側端部を前記前方カバーの上面より下側に位置させたことを特徴とする。
【００１０】
上記した構成において、釣糸平行巻き機構の釣糸案内部は、環状孔近傍の表面側（前面、側面、上面の夫々の面の少なくとも一部）が保護カバーで覆われていることから、左右往復動する釣糸案内部に対して釣糸が引っ掛かり難くなる。また、保護カバーの下側端部が前方カバーの上面より下側に位置しているため、釣糸案内部を大きく露出させるデザイン形態にしても、釣糸案内部本体と保護カバー間の接合部分近傍への釣糸の侵入を前方カバーによって防止することが可能となり、糸絡み、糸切れ及び保護カバーの外れを効果的に防ぐことが可能となる。
【００１１】
又、上記の目的を達成するために、本発明に係る魚釣用両軸受型リールは、リール本体に支持された釣糸を巻回保持するスプールに釣糸を巻回するための巻取り駆動機構と、リール本体に回転可能に設けられた巻取り駆動用ハンドルと、前記スプールに釣糸を平行巻きするべく前記ハンドルの回転で左右往復駆動され、釣糸が挿通する環状孔を有する釣糸案内部を具備した釣糸平行巻き機構とを有しており、前記釣糸案内部の少なくとも前方側形状を、上方に向けて徐々に後方側に傾斜する先細形状とすると共に、前記釣糸案内部に対し、環状孔近傍の前方側の面と側面、及び上面と下面の各面の少なくとも一部を覆う保護カバーを取り付けたことを特徴とする。
【００１２】
上記した構成において、釣糸平行巻き機構の釣糸案内部は、環状孔近傍の表面側（前面、側面、上面、下面の夫々の面の少なくとも一部）が保護カバーで覆われていることから、左右往復動する釣糸案内部に対して釣糸が引っ掛かり難くなる。この場合、釣糸案内部を大きく露出させるデザイン形態にしても、釣糸案内部は、少なくとも前方側形状が、上方に向けて徐々に後方側に傾斜する先細形状となっているため、釣糸がふけてループ状になって釣糸案内部に絡まっても、容易に上方側に抜けることができ、糸絡み、糸切れ及び保護カバーの外れを効果的に防ぐことが可能となる。
【００１３】
【発明の実施の形態】
以下、本発明に係る魚釣用両軸受型リールの実施形態について添付図面を参酌して具体的に説明する。
図１〜図４は、本発明の第１の実施形態を示しており、図１は、両軸受型リールの平面図、図２は、中央部分における断面図、図３は、釣糸案内部の構成を示す部分断面図、そして、図４は、釣糸案内部に装着される部材の分解断面図である。
【００１４】
最初に、図１及び図２を参照して、両軸受型リールの全体の構成について説明する。
両軸受型リールのリール本体１は、左右フレーム２ａ，２ｂと、これら左右フレーム２ａ，２ｂに所定の空間をもって装着される左右側板３ａ，３ｂとを備えている。前記左右フレーム２ａ，２ｂ（左右側板３ａ，３ｂ）間には、スプール軸５が回転可能に支持されており、このスプール軸５には、釣糸が巻回されるスプール６が取り付けられている。
【００１５】
右側板３ｂ側には、巻取り駆動用のハンドル８を装着したハンドル軸９が回転可能に支持されている。このハンドル軸９には、ハンドル軸に回転可能に支持された駆動歯車１２と、この駆動歯車１２に噛合するピニオン１３とを備えた巻取り駆動機構１４が連結されており、ハンドル８を回転操作することで、巻取り駆動機構１４を介してスプール６が回転駆動されるようになっている。
【００１６】
前記ピニオン１３は、前記スプール軸５と同軸上に延出するピニオン軸に支持されており、軸方向に移動可能となっている。また、ピニオン１３の外周には、円周溝１３ａが形成されており、この円周溝に、クラッチ機構の作動部材１５が係合して、ピニオン１３を軸方向に移動するようになっている。このピニオン１３が軸方向に移動されることで、スプール軸側５と係合する状態（駆動力伝達状態；クラッチＯＮ）と、非係合状態（駆動力非伝達状態；クラッチＯＦＦ）に切換えられる。なお、前記クラッチ機構の作動は、左右フレーム間のスプール後方側に支持されたクラッチ操作具１７を操作することで行われる。
【００１７】
前記左右側板３ａ，３ｂ間には、スプール６の前方に、釣糸平行巻き機構２０が設けられている。釣糸平行巻き機構２０は、スプール６の前方で左右に往復動すると共に、釣糸が挿通する環状孔２１ａを有する釣糸案内部２１と、左右側板３ａ，３ｂ間に支持され、外周に螺旋溝が形成されたトラバースカム軸２３とを有している。このトラバースカム軸２３は、左右フレームに固定された保護パイプ２５内に回転可能に収容されており、この保護パイプ２５には、前記螺旋溝が露出するように、軸方向に沿って貫通孔が形成されている。そして、この貫通孔を介して、釣糸案内部２１に保持された係合爪２１ｂが係合しており、トラバースカム軸２３が回転駆動されることにより、釣糸案内部２１はトラバースカム軸に沿って往復駆動するようになっている。
【００１８】
この場合、トラバースカム軸２３は、前記ハンドル８を巻取り駆動した際、駆動歯車１２（もしくはこれと一体回転する歯車）、及びこの歯車に噛合し、トラバースカム軸２３の端部に装着された歯車を介して回転駆動される。また、釣糸案内部２１の本体２１ｃは、左右フレーム間に支持された案内ピラー２７に支持されており、トラバースカム軸２３の回りでの回り止めがなされるようになっている。
【００１９】
また、左右側板３ａ，３ｂ間には、リール本体を握持、保持した際、親指が載置できるように、サムレスト３０が設けられている。本実施形態の構成では、リール本体の握持保持性の向上を図るべく、サムレスト３０は従来の構成よりも後方側にシフトさせており、釣糸案内部２１に対して、垂直方向で干渉しない位置に配設されている。更に、左右側板３ａ，３ｂの前方領域の上面は、側面視で釣糸案内部２１の上面よりも下側になるように構成されており、握持保持性の向上を図っている。
【００２０】
また、左右側板３ａ，３ｂ間には、前記釣糸案内部２１の前方側において、前方カバー部材３２が設けられている。この前方カバー部材３２は、その上面３２ａが、後述する釣糸案内部２１に取着される保護カバーの下側端部よりも上側になるように、左右側板間に配設されている。
【００２１】
次に、図３及び図４を参照して、前記釣糸案内部２１の構成を説明する。
釣糸案内部２１の本体２１ｃは、合成樹脂等により一体成形されており、釣糸が挿通する環状孔２１ａには、好ましくは、耐摩耗性を有する硬質材料、例えばチタン、セラミック、ＳＵＳ等によって形成されたリング部材３３が嵌入止着されている。また、本体２１ｃには、環状孔２１ａの近傍の表面側、すなわち環状孔２１ａの周辺領域である前面２１Ａ、前面２１Ａの両サイドで後方側に屈曲された両側面２１Ｂ、前面２１Ａの上サイドで後方側に屈曲された上面２１Ｃの夫々の面において、各面の少なくとも一部を覆うように保護カバー３５が止着されている。
【００２２】
この場合、本実施形態の保護カバー３５は、本体２１ｃの前面２１Ａの全面、側面２１Ｂ及び上面２１Ｃの後端領域を除く略全面、及びそれらの面に加えて、前面２１Ａの下サイドで後方側に屈曲された下面２１Ｄの全面を覆うように形成されており、本体２１ｃに予め形成された係止段部２１ｄに対して、その端部３５ａが当て付けられて止着される。また、上記したように釣糸案内部２１は、全体が大きく露出した状態であり、釣糸が引っ掛かり易い構成であることから、保護カバー３５は、使用中の釣糸の傷や落下時の傷を効果的に防止するように、例えばチタン、セラミック、ＳＵＳ等の硬質の材料によって形成されている。
【００２３】
上記した釣糸案内部２１の構成によれば、環状孔２１ａの近傍の表面側が保護カバー３５によって覆われているので、釣糸案内部２１に対して釣糸が引っ掛かり難くなる。また、保護カバー３５の下側端部３５ａ´を前方カバー部材３２の上面３２ａより下側に位置させているため、釣糸案内部２１の本体２１ｃと保護カバー３５間の接合部分（下面２１Ｄ部分における係止段部２１ｄと下側端部３５ａ´との間の隙間Ｇ）への釣糸の侵入が前方カバー部材３２によって防ぐことができ、この結果、糸絡み、糸切れ及び保護カバーの外れを効果的に防ぐことが可能となる。特に、本実施形態のように、リール本体の握持保持性を向上すべく、サムレスト３０を後方側にシフトさせて釣糸案内部２１を大きく露出させる構成では、釣糸案内部２１に対して釣糸が引っ掛かり易くなるが、上記したような保護カバー３５の構成及び前方カバー部材３２を保護カバー３５の下側端部３５ａ´よりも上方となるように配設したことで、そのようなデザイン形態のリールであっても、より効果的に釣糸の糸絡み、糸切れを防止することが可能となる。
【００２４】
図５及び図６は、上記した実施形態の変形例を示す図であり、図５は、両軸受型リールに装着される釣糸平行巻き機構の釣糸案内部の構成を示す部分断面図、図６は、釣糸案内部に装着される部材の分解断面図である。
【００２５】
この変形例の保護カバー４５は、本体２１ｃの前面２１Ａの下端領域を除く略全面、側面２１Ｂの後端領域を除く略全面を覆うと共に、保護カバー４５の上面は、後端部が下方に向けて屈曲されて、本体２１ｃの上面２１Ｃを全て覆うように形成されている。このため、保護カバー４５の端縁４５ａが当て付けられる本体２１ｃの上面側の係止段部２１ｄは、第１の実施形態と異なる位置に形成されている。また、保護カバー４５の下側端部４５ａ´は、第１の実施形態と同様に前方カバー部材３２の上面３２ａより下側に位置するように形成されている。
【００２６】
このように、本発明においては、保護カバーの下側端部が、前方カバー部材３２の上面３２ａより下側に位置するように形成されていれば良く、かつ、釣糸案内部２１の本体２１ｃを覆う保護カバーは、環状孔近傍の表面側である前面２１Ａ、側面２１Ｂ、上面２１Ｃの夫々の面の少なくとも一部を覆っていれば（夫々の面において全面を覆うのが好ましく、下面２１Ｄも覆うのが好ましい）、その形状については、適宜変形することが可能である。
【００２７】
図７乃至図９は、本発明の第２の実施形態を示す図であり、図７は、両軸受型リールに装着される釣糸平行巻き機構の釣糸案内部の構成を示す部分断面図、図８は、釣糸案内部の斜視図、そして図９は、釣糸案内部の分解断面図である。
【００２８】
本実施形態では、釣糸案内部５１の本体５１ａは、前記実施形態と同様、釣糸が挿通する環状孔５１ｂにリング部材３３が嵌入止着された構成となっている。また、本体５１ａは、その前方側の形状が、図に示すように、上方に向けて徐々に後方側に傾斜する先細形状となるように形成されている。そして、このように形成された本体５１ａには、環状孔５１ｂの近傍の表面側、すなわち環状孔５１ｂの周辺領域である前面５１Ａ、前面５１Ａの両サイドで屈曲された両側面５１Ｂ、上面５１Ｃ（ここでの上面５１Ｃは、側面５１Ｂに対し、先細になる位置Ｐよりも上方にある面が該当する）、そして、前面５１Ａの下サイドで屈曲された下面５１Ｄの夫々の面において、夫々の少なくとも一部を覆うように保護カバー６５が止着されている。
【００２９】
この場合、本実施形態では、保護カバー６５は、本体５１ａの前面５１Ａの全面、側面５１Ｂ及び上面５１Ｃの後端領域を除く略全面、及び下面５１Ｄの略全面を覆うように形成されており、本体５１ａに予め形成された係止段部５１ｃに対して、その端部６５ａが当て付けられて止着される。そして、保護カバー６５の下側端部６５ａ´は、前方カバー部材３２の上面３２ａより下側に位置するように構成されている。
【００３０】
上記した釣糸案内部５１の構成によれば、前方側の面が上方に向けて徐々に後方側へ傾斜する先細形状であるので、釣糸案内部の環状孔への糸通し性を向上させるべく、釣糸案内部上方を大きく開口させても、釣糸案内部５１に釣糸が絡み付き難く、万が一絡み付いても上方側へ釣糸が抜け易くなり、即座に糸絡みを解消することができる。また、上記した形状の釣糸案内部５１に保護カバー６５を併設することで、上部が開口して釣糸案内部が大きく露出する構成においても、釣糸による傷を生じさせ難くするのみでなく、リール本体を地面に置いた際に、釣糸案内部に傷が生じることを防ぎ、前記傷が原因で生じる釣糸への傷や糸切れを効果的に防ぐことが可能になる。更に、前記実施形態と同様、保護カバー６５の下側端部６５ａ´が前方カバー部材３２の上面３２ａより下側に位置しているため、釣糸案内部５１の本体５１ａと保護カバー６５間の接合部分（係止段部５１ｃと下側端部６５ａ´との間の隙間Ｇ）への釣糸の侵入が、前方カバー部材３２によって防ぐことができ、この結果、糸絡み、糸切れを効果的に防ぐことが可能となる。
【００３１】
もちろん、本実施形態においても、保護カバー６５は、図５及び図６に示した変形例のように、本体５１ａの前面５１Ａ及び側面５１Ｂを部分的に覆うような形状であっても良い。また、本実施形態では、少なくとも、本体５１ａの前方側の形状が、上方に向けて徐々に後方側に傾斜する先細形状となるように形成されていれば良く、それ以外の部分については、適宜変形することが可能である。例えば、側面５１Ｂの形状も上方に向けて徐々に先細形状にすることで、より効果的に糸絡みを防止することが可能になる。
【００３２】
図１０は、上記した第２実施形態の第１の変形例を示す図であり、釣糸案内部の構成を示す部分断面図である。
この変形例の保護カバー６５´は、上記した第２実施形態において、保護カバー６５とリング部材３３を一体形成したものである。このような構成によれば、釣糸案内部の前面側において、図７に示すような凹凸部分を無くすことができるので、糸絡み、糸切れをより効果的に防止することが可能となる。もちろん、このように保護カバーとリング部材を一体的に形成するのは、上述した第１実施形態においても適用可能である。
【００３３】
図１１は、上記した第２実施形態の第２の変形例を示す図であり、両軸受型リールの中央部分における断面図である。
この変形例は、上記した第２実施形態において、両側板間に配設される前方カバーを削除したものである。このように前方カバーを削除しても、釣糸案内部５１は、少なくとも前方側の面が上方に向けて徐々に後方側へ傾斜する先細形状であることから、釣糸案内部５１には釣糸が絡み付き難く、更には、絡み付いたとしても、上方側へ釣糸が抜け易い構成であることから、即座に糸絡みを解消することが可能となる。
【００３４】
図１２及び図１３は、図１に示した両軸受型リールのスプール６の加工方法を示す図であり、夫々加工前、加工後の状態を示す図である。
この図に示すように、未加工のスプール６を、加工済みのスプール軸５に対して、圧入、接着等により固定し、スプール軸５の両端部を切削加工機のホルダ９０にチャックする。そして、切削工具９１をスプール６のフランジ６ａの周面に当て付けてスプール軸５を回転し、フランジ部分を切削加工する。
【００３５】
このような加工方法によれば、軸芯に対するスプールフランジ６ａのフレが少なくなり、真円度が高くなるので、リール本体のフレーム部分とスプールフランジとの間のクリアランスを小さくすることができる。この結果、仕掛け投擲時にフレームとスプールフランジとの接触を防ぎながら、クリアランス部分からの釣糸の内部への侵入を効果的に防ぐことが可能となる。また、スプールの真円度が高くなることで、スプール回転時の振動が減り、仕掛け投擲時のスプール回転数が上昇し、仕掛けの飛距離を伸ばすことが可能となる。
【００３６】
【発明の効果】
以上、本発明によれば、釣糸案内部において、糸切れ、糸絡み及び保護カバーの外れを効果的に防止する平行巻き機構を備えた魚釣用両軸受型リールが得られる。
【図面の簡単な説明】
【図１】本発明の第１の実施形態を示す図であり、両軸受型リールの平面図。
【図２】図１に示す両軸受型リールの中央部分における断面図。
【図３】釣糸案内部の構成を示す部分断面図。
【図４】釣糸案内部に装着される部材の分解断面図。
【図５】第１の実施形態の変形例を示す図であり、両軸受型リールに装着される釣糸平行巻き機構の釣糸案内部の構成を示す部分断面図。
【図６】釣糸案内部に装着される部材の分解断面図。
【図７】本発明の第２の実施形態を示す図であり、両軸受型リールに装着される釣糸平行巻き機構の釣糸案内部の構成を示す部分断面図。
【図８】釣糸案内部の斜視図。
【図９】釣糸案内部の分解断面図。
【図１０】第２実施形態の第１の変形例を示す図であり、釣糸案内部の構成を示す部分断面図。
【図１１】第２実施形態の第２の変形例を示す図であり、両軸受型リールの中央部分における断面図。
【図１２】図１に示した両軸受型リールのスプールの加工方法を示す図であり、加工前の状態を示す図。
【図１３】加工後の状態を示す図。
【符号の説明】
１  リール本体
６  スプール
８  ハンドル
１４  巻取り駆動機構
２０  釣糸平行巻き機構
２１，５１  釣糸案内部
３０  サムレスト
３２  前方カバー部材
３５，４５，６５  保護カバー
【図１】
2004187645.tif 000003
【図２】
2004187645.tif 000004
【図３】
2004187645.tif 000005
【図４】
2004187645.tif 000006
【図５】
2004187645.tif 000007
【図６】
2004187645.tif 000008
【図７】
2004187645.tif 000009
【図８】
2004187645.tif 000010
【図９】
2004187645.tif 000011
【図１０】
2004187645.tif 000012
【図１１】
2004187645.tif 000013
【図１２】
2004187645.tif 000014
【図１３】
2004187645.tif 000015